(57)【要約】【課題】緊急時に緊急遮断手段にて貯水槽内の取水口から二次側系統への給水が遮断された場合でも、必要に応じて二次側系統に給水することができ、しかも、必要分の備蓄水は確実に貯水槽に残すことのできる給水システムを提供する。【解決手段】水を補給可能な補給口１１、及び、二次側系統に給水可能な取水口１２を備えた貯水槽１０と、緊急時に取水口１２からの給水を遮断する緊急遮断手段６０が備えられ、貯水槽１０の槽内には、緊急遮断手段６０にて取水口１２からの給水が遮断された場合に二次側系統に給水可能な緊急時取水口１３が備えられ、取水口１２及び緊急時取水口１３が、貯水槽の通常時の槽内水位よりも低位に配置されている給水システム１００であって、緊急時取水口１３が、取水口１２よりも高位に配置されている。【選択図】図２
2018071245.tif 000002
【特許請求の範囲】
【請求項１】
水を補給可能な補給口、及び、二次側系統に給水可能な取水口を備えた貯水槽と、
緊急時に前記取水口からの給水を遮断する緊急遮断手段が備えられ、
前記貯水槽の槽内には、前記緊急遮断手段にて前記取水口からの給水が遮断された場合に二次側系統に給水可能な緊急時取水口が備えられ、
前記取水口及び前記緊急時取水口が、前記貯水槽の通常時の槽内水位よりも低位に配置されている給水システムであって、
前記緊急時取水口が、前記取水口よりも高位に配置されている給水システム。
【請求項２】
前記緊急時取水口の高さが、前記貯水槽の槽内における前記緊急時取水口よりも低位側に災害用設定水量を貯水可能な高さに設定され、
前記貯水槽の通常時の槽内水位が、貯水槽の槽内における前記緊急時取水口よりも高位側に緊急用設定水量を貯水可能な水位に設定されている請求項１記載の給水システム。
【請求項３】
前記緊急遮断手段にて前記取水口からの給水が遮断されて前記緊急時取水口から二次側系統に給水する場合に、緊急時取水口からの給水流量を制限する緊急時流量制限手段が備えられている請求項１又は２記載の給水システム。
【請求項４】
緊急時に前記緊急時取水口からの給水を開放する緊急時取水手段が備えられている請求項１〜３のいずれか１項に記載の給水システム。
【請求項５】
前記貯水槽の槽内における前記緊急時取水口よりも高位側の水位又は高位側の貯水量を計測する緊急用水計測手段が備えられている請求項１〜４のいずれか１項に記載の給水システム。
【請求項６】
二次側系統には、断水回避系統と断水許容系統とが含まれ、
前記緊急時取水口は、前記断水回避系統には接続され、且つ、前記断水許容系統には接続されていない請求項１〜５のいずれか１項に記載の給水システム。
【発明の詳細な説明】
【技術分野】
【０００１】
本発明は、二次側系統に水を供給する給水システムに関する。
【背景技術】
【０００２】
病院や生産工場、集合住宅等の施設の給水システムでは、一次側系統から水を補給可能な補給口と二次側系統に給水可能な取水口を有した貯水槽が備えられているのが一般的である。
このような貯水槽を備えた給水システムにおいて、例えば、特許文献１に示すように、地震時に取水口から二次側系統への給水を遮断する緊急遮断弁が備えられた給水システムが知られている。この給水システムでは、地震時に緊急遮断弁にて貯水槽の取水口を遮断することで、二次側系統への配管系の損傷等により貯水槽の貯留水が漏出するのを確実に防止し、一次側系統から給水が断たれた場合の一定期間の水源を備蓄水として貯水槽に確保するようにしている。
また、この特許文献１に記載の給水システムでは、貯水槽の底側において取水口と異なる箇所から貯留水を取り出し可能な非常用流出バルブが設けられており、地震時に停電が継続し、ポンプ等が運転できずに取水口から備蓄水を取り出せない場合でも、非常用流出バルブを介して貯水槽内の備蓄水を取り出して使用することができる。
【先行技術文献】
【特許文献】
【０００３】
【特許文献１】特開平１０−２６６２８１号公報
【発明の概要】
【発明が解決しようとする課題】
【０００４】
ところで、二次側系統が医療用水の系統や生産設備用の生産用水の系統である場合など、二次側系統の種別によっては、地震時等の緊急時であっても突然に断水されてしまうと、その断水に原因して二次被害が発生することも考えられる。
この点、上記特許文献１に記載の給水システムであっても、緊急時に取水口から二次側系統への給水が遮断された場合に非常用流出バルブを介して貯水槽から備蓄水を取り出すことで、二次側系統への給水を継続することができる。
しかしながら、この給水システムでは、非常用流出バルブを介して貯水槽の底側から貯留水を取り出すので、非常用流出バルブから無制限に給水することが可能となり、その結果、所期の目的に反し、一次側系統から給水が断たれた場合の一定期間の水源を備蓄水として貯水槽に確保できない事態が生じる危険性がある。
【０００５】
この実情に鑑み、本発明の主たる課題は、緊急時に緊急遮断手段にて貯水槽内の取水口から二次側系統への給水が遮断された場合でも、必要に応じて二次側系統への給水を継続することができ、しかも、必要分の備蓄水は確実に貯水槽に残すことのできる給水システムを提供する点にある。
【課題を解決するための手段】
【０００６】
本発明の第１特徴構成は、水を補給可能な補給口、及び、二次側系統に給水可能な取水口を備えた貯水槽と、
緊急時に前記取水口からの給水を遮断する緊急遮断手段が備えられ、
前記貯水槽の槽内には、前記緊急遮断手段にて前記取水口からの給水が遮断された場合に二次側系統に給水可能な緊急時取水口が備えられ、
前記取水口及び前記緊急時取水口が、前記貯水槽の通常時の槽内水位よりも低位に配置されている給水システムであって、
前記緊急時取水口が、前記取水口よりも高位に配置されている点にある。
【０００７】
本構成によれば、緊急時取水口を取水口よりも高位に配置する簡単な構造にて、緊急時取水口から二次側系統に給水可能な水を、貯水槽の槽内における緊急時取水口よりも高位側の貯留水に物理的に制限することができる。
よって、緊急時に緊急遮断手段にて取水口から二次側系統への給水が遮断された場合でも、緊急時取水口よりも高位側の貯留水を緊急時取水口から二次側系統に給水することができ、二次側系統への給水を継続して、急な断水による二次被害を回避することができる。しかも、緊急時取水口から二次側系統に給水した後でも、少なくとも緊急時取水口よりも低位側の貯留水は備蓄水として確実に貯水槽に残すことができる。
【０００８】
本発明の第２特徴構成は、前記緊急時取水口の高さが、前記貯水槽の槽内における前記緊急時取水口よりも低位側に災害用設定水量を貯水可能な高さに設定され、
前記貯水槽の通常時の槽内水位が、貯水槽の槽内における前記緊急時取水口よりも高位側に緊急用設定水量を貯水可能な水位に設定されている点にある。
【０００９】
本構成によれば、緊急時取水口の高さが、貯水槽の槽内における緊急時取水口よりも低位側に災害用設定水量を貯水可能な高さに設定されているので、緊急時に緊急時取水口から二次側系統に給水した後でも、少なくとも緊急時取水口よりも低位側の災害用設定水量の貯留水を備蓄水として確実に残すことができる。よって、災害時に災害用設定水量の貯留水は確実に使用できるようになる。
更に、貯水槽の通常時の槽内水位が、貯水槽の槽内における緊急時取水口よりも高位側に緊急用設定水量を貯水可能な水位に設定されているので、緊急時取水口よりも高位側の緊急用設定水量の貯留水を、緊急時取水口から二次側系統に給水可能な水として確実に確保することができる。よって、緊急時において緊急用設定水量の貯留水は確実に継続して使用できるようになる。
【００１０】
本発明の第３特徴構成は、前記緊急遮断手段にて前記取水口からの給水が遮断されて前記緊急時取水口から二次側系統に給水する場合に、緊急時取水口からの給水流量を制限する緊急時流量制限手段が備えられている点にある。
【００１１】
本構成によれば、緊急遮断手段にて取水口からの給水が遮断されて緊急時取水口から二次側系統に給水する場合に、その給水流量を緊急時流量制限手段にて制限するので、例えば、短時間の間に緊急時取水口から二次側系統に想定外の大量の水を給水する等により、緊急時取水口からの給水可能時間（期間）が不測に短くなるのを防止することができる。
【００１２】
本発明の第４特徴構成は、緊急時に前記緊急時取水口からの給水を開放する緊急時取水手段が備えられている点にある。
【００１３】
本構成によれば、緊急時に緊急時取水口から二次側系統への給水を開放するので、緊急時に緊急遮断手段にて取水口から二次側系統への給水を遮断した場合でも二次側系統への給水を自動的に継続することができ、二次側系統での急な断水による二次被害を一層確実に回避することができる。
また、通常時には、緊急時取水口からの給水を遮断することで、緊急時取水口からの意図しない給水や漏水等により貯水槽の貯留水が減少するのを回避することができる。
【００１４】
本発明の第５特徴構成は、前記貯水槽の槽内における前記緊急時取水口よりも高位側の水位又は高位側の貯水量を計測する緊急用水計測手段が備えられている点にある。
【００１５】
貯水槽の槽内における緊急時取水口よりも高位側の水位又は高位側の貯水量は、緊急時取水口から二次側系統への給水可能な水量を把握する指標となる。
よって、本構成によれば、緊急時取水口から二次側系統への給水可能な水量を把握することが可能となり、緊急時における緊急時取水口から二次側系統への給水を有効に使用することができる。
【００１６】
本発明の第６特徴構成は、二次側系統には、断水回避系統と断水許容系統とが含まれ、
前記緊急時取水口は、前記断水回避系統には接続され、且つ、前記断水許容系統には接続されていない点にある。
【００１７】
本構成によれば、緊急時には、断水による二次被害の危険性が高い等の断水回避系統への緊急時取水口からの給水は可能となり、断水による二次被害の危険性が低い等の断水許容系統への緊急時取水口からの給水は不能となる。
よって、緊急時に緊急遮断手段にて取水口から二次側系統への給水が遮断された場合に、断水を回避すべき断水回避系統に緊急時取水口からの給水を適切に割り当てることができ、緊急時における緊急時取水口からの二次側系統への給水を有効に使用することができる。
【図面の簡単な説明】
【００１８】
【図１】給水システムの通常時の作動状態を示す概略構成図
【図２】給水システムの緊急時の作動状態を示す概略構成図
【図３】別実施形態の給水システムの要部の概略構成図
【図４】別実施形態の給水システムの要部の概略構成図
【発明を実施するための形態】
【００１９】
本発明に係る給水システムの実施形態を図面に基づいて説明する。
図１は給水システム１００の通常時の作動状態を示し、図２は給水システム１００の緊急時の作動状態を示している。
なお、図１、２では、通水状態の給水路３１は太実線で表し、非通水状態の給水路３１は細実線で表している。また、開き状態の弁３１，７１や作動状態のポンプ３２は白抜きで表し、閉じ状態の弁３１，７１や停止状態のポンプ３２は黒塗りで表している。
【００２０】
この給水システム１００は、図１に示すように、所定量の水Ｗを貯留可能な貯水槽１０が主要構成として備えられ、水補給手段２０により槽内水位を設定された通常時の槽内水位Ｌ２（以下、通常水位と略称する場合がある。）に維持するように一次側系統から貯水槽１０に水Ｗを補給しながら、給水手段３０により貯水槽１０の貯留水Ｗを取り出して二次側系統に給水可能に構成されている。
また、この給水システム１００には、通常時と緊急時とを判定し、その判定結果に応じて各部の作動状態を制御する制御装置４０が備えられている。本例では、制御装置４０は、貯水槽１０又はその近傍箇所等の適所に設置された感震器５０から入力される地震信号に基づき、例えば、感震器５０が設定震度以上の地震を感知して地震信号を出力した場合を緊急時とする判定形態で通常時と緊急時とを判定するように構成されている。
【００２１】
貯水槽１０の槽内には、水補給手段２０により一次側系統から水Ｗを補給可能な補給口１１と、通常時（図１参照）に給水手段３０により貯留水Ｗを取り出して二次側系統に給水可能な取水口１２と、緊急時（図２参照）に給水手段３０により貯留水Ｗを取り出して二次側系統に給水可能な緊急時取水口１３とが備えられている。この給水システム１００では、緊急時（図２参照）に取水口１２からの給水を遮断する緊急遮断手段６０が備えられており、緊急時取水口１３は、緊急時に緊急遮断手段６０にて取水口１２から二次側系統への給水を遮断した場合でも、必要に応じて二次側系統への給水を継続するために備えられている。
【００２２】
取水口１２及び緊急時取水口１３は、貯水槽１０の槽内において通常水位Ｌ２よりも低位に配置され、槽内水位が通常水位Ｌ２となっている状態で貯水槽１０から貯留水Ｗを取り出し可能に構成されている。なお、補給口１１は、貯水槽１０の槽内において通常水位Ｌ２よりも高位に配置されている。
【００２３】
ここで、貯水槽１０の槽内において、取水口１２は底側に配置され、緊急時取水口１３は取水口１２よりも高位に配置されている。そのため、緊急時（図２参照）に緊急時取水口１３から二次側系統に給水する場合でも、図２中の上側に示すように、給水可能な水Ｗは緊急時取水口１３よりも高位側の貯留水Ｗに物理的に制限され、図２中の下側に示すように、緊急時取水口１３よりも低位側の貯留水Ｗは槽内に確実に残ることになる。
【００２４】
緊急時取水口１３の高さＬ１は、当該緊急時取水口１３よりも低位側に災害用設定水量Ｑ１を貯水可能な高さに設定されているとともに、貯水槽１０の通常水位Ｌ２は、貯水槽１０の槽内における緊急時取水口１３よりも高位側に緊急用設定水量Ｑ２を貯水可能な水位に設定されている。
ここで、災害用設定水量Ｑ１と緊急用設定水量Ｑ２は、給水システム１００が備えられた施設の用途や災害時の役割、事業継続計画（ＢＣＰ）等に応じた適宜の水量に設定することができる。
例えば、災害用設定水量Ｑ１は、所定の期間、給水システム１００が備えられた施設が災害時の中心的な役割を担って活動可能な水量（例えば、３日間に想定される消費水量）等に設定することができる。また、緊急用設定水量Ｑ２は、当該施設において断水を回避した状態での継続的な使用が必要とされる水量（例えば、不意の断水が問題となる水消費部にて断水に備えた準備を行う間に必要な消費水量）等に設定することができる。
なお、貯水槽１０の大型化を回避する面からは、緊急用設定水量Ｑ２を災害用設定水量Ｑ１よりも少量に設定するのが望ましい。
【００２５】
このように緊急時取水口１３の高さＬ１と通常水位Ｌ２とを設定することで、緊急時に緊急時取水口１３から二次側系統に最大で緊急用設定水量Ｑ２の給水を可能としながら、緊急時取水口１３から給水した後でも、少なくとも災害用設定水量Ｑ１は備蓄水として槽内に残すことができる。
【００２６】
前記給水手段３０は、例えば、貯水槽１０の取水口１２及び緊急時取水口１３と二次側系統とを接続する給水路３１と、当該給水路３１に介装されたポンプ３２等を備えて構成され、貯水槽１０の取水口１２及び緊急時取水口１３から貯留水Ｗを取り出して給水路３１を通じて二次側系統に給水するように構成されている。
なお、本例では、ポンプ３２の動力により二次側系統に給水する方式を例に示しているが、勿論、貯水槽１０を施設の屋上等に設置し、水頭圧により給水する方式を採用してもよい。
【００２７】
給水路３１は、取水口１２から合流部３１ａに至る第１流路３１Ａと、緊急時取水口１３から合流部３１ａに至る第２流路３１Ｂと、合流部３１ａから二次側系統に至る第３流路３１Ｃとを備えて構成されている。第３流路３１Ｃには、複数台のポンプ３２が並列状態で介装されている。
【００２８】
第１流路３１Ａには、前記緊急遮断手段６０として、取水口１２から二次側系統への給水を開放状態と遮断状態とに切替可能な第１切替弁６１が備えられている。この第１切替弁６１は、制御装置４０からの制御指令に基づき、通常時（図１参照）には取水口１２から二次側系統への給水を開放し、緊急時（図２参照）には取水口１２から二次側系統への給水を遮断する動作を行う。
【００２９】
第２流路３１Ｂには、緊急時に緊急時取水口１３からの給水を開放する緊急時取水手段７０として、緊急時取水口１３から二次側系統への給水を開放状態と遮断状態とに切替可能な第２切替弁７１が備えられている。この第２切替弁７１は、制御装置４０からの制御指令に基づき、第１切替弁６１とは逆に、通常時には緊急時取水口１３から二次側系統への給水を遮断し、緊急時には緊急時取水口１３から二次側系統への給水を開放する動作を行う。
【００３０】
制御装置４０は、緊急遮断手段６０にて取水口１２からの給水が遮断されて緊急時取水口１３から二次側系統に給水する場合に、緊急時取水口１３からの給水流量を制限する緊急時流量制限手段としても機能する。
具体的には、制御装置４０は、通常時には第３流路３１Ｃに介装された複数台のポンプ３２を稼働状態とし、緊急時には複数台のポンプ３２の一部を停止させて残りの台数を稼働状態とする緊急時流量制限制御を実行する。
この制御装置４０による緊急時流量制限制御により、緊急時は通常時に比べて給水流量が制限され、その結果、緊急時に緊急時取水口１３から二次側系統への給水可能時間（期間）が不測に短くなるのが防止される。
【００３１】
また、この給水システム１００には、貯水槽１０の槽内における前記緊急時取水口１３よりも高位側の水位を計測する緊急用水計測手段８０が備えられている。緊急用水計測手段８０は、電極式の水位センサ等から構成され、リアルタイムや設定時間毎等の所定のタイミングで緊急時取水口１３よりも高位側の水位を計測して制御装置４０に入力する。制御装置４０は、緊急用水計測手段８０から水位情報が入力されると、モニター等の表示部（図示省略）に水位情報を表示する。
このように、この給水システム１００では、緊急時取水口１３よりも高位の水位情報をモニター等の表示部に表示することで、緊急時取水口１３から給水可能な残りの水量を把握することができる。
【００３２】
なお、前記水補給手段２０は、例えば、貯水槽１０の補給口１１と一次側系統とを接続する水補給路２１と、水補給路２１から貯水槽１０への補給水量を制御するボール弁等の水量制御手段（図示省略）を備えて構成され、貯水槽１０の槽内水位を通常水位Ｌ２に維持するように水補給路２１を通じて補給口１１から貯水槽１０に水を補給するように構成されている。
【００３３】
次に、このように構成された給水システム１００の通常時の作動状態と緊急時の作動状態について説明を加える。
【００３４】
（通常時の作動状態）
図１に示すように、制御装置４０は、感震器５０で設定震度以上の地震を感知していない場合には、通常時であると判定し、第１切替弁６１、第２切替弁７１、ポンプ３２を通常時の作動状態に制御する。
具体的には、制御装置４０は、第１切替弁６１を開き状態とし、貯水槽１０の取水口１２から二次側系統への給水を開放状態にするとともに、第２切替弁７１を閉じ状態とし、貯水槽１０の緊急時取水口１３から二次側系統への給水を遮断状態とする。また、複数台のポンプ３２を稼働状態とする。
この通常時の作動状態では、緊急時取水口１３からの意図しない貯留水Ｗの漏出を防止しながら、複数台のポンプ３２の動力を利用し、取水口１２から二次側系統への給水を適切に行うことができる。
【００３５】
（緊急時の作動状態）
図２に示すように、制御装置４０は、感震器５０で設定震度以上の地震を感知した場合は、緊急時であると判定し、第１切替弁６１、第２切替弁７１、ポンプ３２を緊急時の作動状態に制御する。
具体的には、制御装置４０は、第１切替弁６１を閉じ状態として貯水槽１０の取水口１２から二次側系統への給水を遮断状態にするとともに、第２切替弁７１を開き状態として貯水槽１０の緊急時取水口１３から二次側系統への給水を開放状態とする。また、制御装置４０は、複数台のポンプ３２の一部を停止させて残りのポンプ３２を稼働状態とする緊急時流量制限制御を実行し、緊急時取水口１３から二次側系統への給水流量の上限を制限する。更に、制御装置４０は、緊急用水計測手段８０で計測された水位情報をモニター等の表示部に表示する。
【００３６】
この緊急時の作動状態では、給水流量の上限を制限しながら、貯水槽１０の槽内における緊急時取水口１３よりも上位側の緊急用設定水量Ｑ２を最大給水量として緊急時取水口１３から二次側系統に給水することができる。
よって、緊急時に取水口１２から二次側系統への給水が遮断された場合でも、緊急時取水口１３から二次側系統への給水が開放されることで、二次側系統への給水を自動的に継続することが可能となり、急な断水により二次側系統で二次被害が発生するのを回避することができる。しかも、図２の下側に示すように、後に使用するための備蓄水Ｗは、貯水槽１０の槽内における緊急時取水口１３よりも低位側に確実に残すことができる。
更に、緊急時取水口１３からの給水を使用する者は、緊急時取水口１３よりも高位側の水位情報をモニター等の表示部で把握することができ、緊急時取水口１３から二次側系統への給水をより有効に使用することが可能となる。
【００３７】
〔別実施形態〕
（１）前述の実施形態の改良として、取水口１２と接続された二次側系統のうち、特定の一部の系統だけに緊急時取水口１３が接続されていてもよい。
【００３８】
例えば、図３に示すように、断水による二次被害の危険性などに基づき、二次側系統を断水回避系統と断水許容系統とに分け、緊急時取水口１３は、断水回避系統には接続され、且つ、前記断水許容系統には接続されないようにしてもよい。断水回避系統は、例えば、急な断水による二次被害の危険性が高い医療用水の系統や生産用水の系統などの業務用水の系統とすることができる。また、断水許容系統は、急な断水による二次被害の危険性が低い一般用水の系統とすることができる。
この場合、例えば、給水路３１は、取水口１２から断水許容系統に至る第４流路３１Ｄと、緊急時取水口１３から断水回避系統に至る第５流路３１Ｅと、第４流路３１Ｄと第５流路３１Ｅにおけるポンプ３２の下流側どうしを接続する接続流路３１Ｆにて構成することができる。接続流路３１Ｆには、第４流路３１Ｄから第５流路３１Ｅへの水の通流を許容し、その逆方向となる第５流路３１Ｅから第４流路３１Ｄへの水の通流を防止する逆止弁３１ｂを介装する。
【００３９】
このようにすれば、取水口１２は、断水許容系統には第４流路３１Ｄを介して接続され、且つ、断水回避系統には第４流路３１Ｄの上流側と接続流路３１Ｆと第５流路３１Ｅの下流側を介して接続されるので、通常時に取水口１２から断水許容系統と断水回避系統の夫々に給水することができる。
他方、緊急時取水口１３は、断水回避系統には第５流路３１Ｅを介して接続され、且つ、断水許容系統には接続流路３１Ｆに介装された逆止弁３１ｂの逆流防止機能により接続されないので、緊急時に緊急時取水口１３から二次側系統に給水する場合に、給水可能水量の全量を断水回避系統に割り当てることができ、緊急時取水口１３からの給水をより有効に使用することができる。
【００４０】
なお、上述した接続流路３１Ｆや逆止弁３１ｂを設ける構成に限らず、例えば、専用の供給路にて特定の一部の系統だけに緊急時取水口１３を接続するなど、取水口１２と接続された二次側系統のうち、特定の一部の系統だけに緊急時取水口１３が接続される各種の構成を採用することができる。
【００４１】
（２）前述の実施形態の改良として、前記貯水槽１０の槽内で緊急時取水口１３の高さＬ１が変更自在に構成されていてもよい。
この場合、例えば、図４に示すように、貯水槽１０の槽内の複数の高さＬ１１、Ｌ１２、Ｌ１３、Ｌ１４の各々に緊急時取水口１３を配置する。緊急時取水口１３の各々は、貯水槽１０の槽内に設けた接続流路１５を介して給水路３１の第２流路３１Ｂに接続する。また、緊急時取水口１３の各々を開閉自在な開閉弁１４を設置する。
【００４２】
このようにすれば、任意の高さＬ１１〜Ｌ１４の緊急時取水口１３を開き、その他の緊急時取水口１３を閉じることで、緊急時取水口１３の高さＬ１をＬ１１〜Ｌ１４から選択して適宜に変更することができる。よって、緊急時に緊急時取水口１３から二次側系統に給水した後でも、貯水槽１０の槽内に備蓄する災害用設定水量Ｑ１を当該施設の役割等に応じた適切な水量に設定することができる。
【００４３】
なお、上述した複数の高さＬ１１〜Ｌ１４の各々に緊急時取水口１３を設けるのに限らず、例えば、先端部に単一の緊急時取水口１３を備えた上下方向に伸縮自在な接続流路を貯水槽１０の槽内に設け、当該接続流路を上下方向に伸縮させて緊急時取水口１３の高さを変更自在とするなどであってもよく、緊急時取水口１３の高さを変更自在とする各種の構成を採用することができる。
【００４４】
（３）前述の実施形態では、緊急用水計測手段８０が、貯水槽１０の槽内における緊急時取水口１３よりも高位側の水位を計測する場合を例に示したが、水位の検出値等に基いいて貯水槽１０の槽内における緊急時取水口１３よりも高位側の貯水量を計測するようにしてもよい。その場合は、制御装置４０は、緊急用水計測手段８０から入力される貯水量情報をモニター等の表示部に表示することができる。
【００４５】
（４）前述の実施形態では、第２切替弁７１として、制御装置４０からの制御指令により緊急時取水口１３から二次側系統への給水を開放状態と遮断状態とに自動的に切り替える弁を例に示したが、人為操作により緊急時取水口１３から二次側系統への給水を開放状態と遮断状態とに切り替える弁であってもよい。また、このような第２切替弁７１を設けず、緊急時取水口１３から二次側系統への給水を常に開放状態とするようにしてもよい。
【００４６】
（５）前述の実施形態では、制御装置４０が通常時と緊急時を判定し、その判定結果に応じて制御指令を出力することで、第２切替弁７１の作動状態を自動的に切り替えて緊急時取水口１３から二次側系統への給水を開放状態と遮断状態とに切り替える場合を例に示したが、操作者による制御装置４０の操作部への通常時や緊急時を指定する入力操作に応じて、第２切替弁７１の作動状態を切り替えて緊急時取水口１３から二次側系統への給水を開放状態と遮断状態とに切り替えるようにしてもよい。
【００４７】
（６）貯水槽１０に備えられた補給口１１から槽内に水を補給する水補給手段２０は、前述の実施形態で示した構成に限らず、種々の構成変更が可能であり、場合によっては、人為操作により補給口１１から槽内に水を補給するようにしてもよい。
同様に、貯水槽１０に備えられた取水口１２及び緊急時取水口１３から貯留水Ｗを取り出して二次側系統に給水する給水手段３０も、前述の実施形態で示した構成に限らず、種々の構成変更が可能であり、場合によっては、人為操作により取水口１２及び緊急時取水口１３から貯留水Ｗを取り出して二次側系統に給水するようにしてもよい。
【００４８】
（７）前述の実施形態では、給水流量制限手段が、給水路３１に介装したポンプ３２の稼働台数を一部の台数に制限することで、緊急時取水口１３から二次側系統への給水流量の上限を制限する場合を例に示した。これに代え、例えば、給水路３１に介装した弁等の動作により緊急時取水口１３から二次側系統への給水路３１を絞ることで、緊急時取水口１３から二次側系統への給水流量の上限を制限したり、給水路３１に介装した弁等の動作により緊急時取水口１３から二次側系統に一度に給水できる時間を制限することで、緊急時取水口１３から二次側系統への給水流量を制限するようにしてもよい。
【００４９】
（８）前述の実施形態の改良として、二次側系統には、貯水槽１０からの給水を一次的に貯留するバッファタンクが備えられていてもよい。
【００５０】
（９）前述の実施形態では、前記緊急時取水口が、貯水槽の槽内の外周壁側に配置されている場合を例に示したが、例えば、貯水槽内の槽内の底側から上方に立ち上げた接続流路の先端側等に配置されていてもよい。
【符号の説明】
【００５１】
１０      貯水槽
１１      補給口
１２      取水口
１３      緊急時取水口
６０      緊急遮断手段
７０      緊急時取水手段
８０      緊急用水計測手段
Ｌ１      緊急時取水口の高さ
Ｌ２      通常水位
Ｑ１      災害用設定水量
Ｑ２      緊急用設定水量
【図１】
2018071245.tif 000003
【図２】
2018071245.tif 000004
【図３】
2018071245.tif 000005
【図４】
2018071245.tif 000006